(57)【要約】【課題】血液バッグシステムの遠心分離移送装置への装着時に、第２バッグ及び第３バッグの取り違えを抑制するとともに装着作業を効率的に行うことができ、遠心分離中に第３チューブが損傷することを防止することができ、取外し作業時のユーザの負担を軽減することができる血液バッグシステム及び血液製剤製造システムを提供する。【解決手段】血液製剤製造システム１４の血液バッグシステム１０は、血液バッグ２２、ＰＰＰバッグ２４及び薬液バッグ２６を備え、血液バッグ２２に接続された第１チューブ３４は、ＰＰＰバッグ２４に接続された第２チューブ３６と薬液バッグ２６に接続された第３チューブ３８とに分岐コネクタ３２を介して連結されている。第３チューブ３８の全長Ｌ２は、第２チューブ３６の全長Ｌ１よりも短い。【選択図】図１
2020130927.tif 000002
【特許請求の範囲】
【請求項１】
血液が収容された第１バッグと、前記第１バッグ内の血液を遠心分離して得られた血液成分を収容するための第２バッグと、添加溶液が収容された第３バッグと、を備え、
前記第１バッグに接続された第１チューブは、前記第２バッグに接続された第２チューブと前記第３バッグに接続された第３チューブとに分岐部を介して連結され、
遠心分離移送装置に装着された装着状態で、前記第１バッグ、前記第２バッグ及び前記第３バッグが、前記遠心分離移送装置の第１収容部、第２収容部及び第３収容部に各々配設される血液バッグシステムであって、
前記第３チューブの全長は、前記第２チューブの全長よりも短い、血液バッグシステム。
【請求項２】
請求項１記載の血液バッグシステムであって、
前記第３チューブの全長は、８ｃｍ以上１２ｃｍ以下である、血液バッグシステム。
【請求項３】
請求項１又は２に記載の血液バッグシステムであって、
前記第２チューブの全長は、２４ｃｍ以上２８ｃｍ以下である、血液バッグシステム。
【請求項４】
血液バッグシステムと、前記血液バッグシステムが装着される遠心分離移送装置と、を備え、
前記血液バッグシステムは、血液が収容された第１バッグと、前記第１バッグ内の血液を遠心分離して得られた血液成分を収容するための第２バッグと、添加溶液が収容された第３バッグと、を有し、
前記第１バッグに接続された第１チューブは、前記第２バッグに接続された第２チューブと前記第３バッグに接続された第３チューブとに分岐部を介して連結され、
前記血液バッグシステムが前記遠心分離移送装置に装着された装着状態で、前記第１バッグ、前記第２バッグ及び前記第３バッグが、前記遠心分離移送装置の第１収容部、第２収容部及び第３収容部に各々配設される血液製剤製造システムであって、
前記第３チューブの全長は、前記第２チューブの全長よりも短い、血液製剤製造システム。
【請求項５】
請求項４記載の血液製剤製造システムであって、
前記遠心分離移送装置は、前記分岐部を装着するためのホルダを有し、
前記第３チューブを前記ホルダから前記第３収容部に導く第１経路の長さは、前記第２チューブを前記ホルダから前記第２収容部に導く第２経路の長さよりも短い、血液製剤製造システム。
【請求項６】
請求項５記載の血液製剤製造システムであって、
前記第２チューブの全長は、前記第２経路の長さに対応した長さであり、
前記第３チューブの全長は、前記第１経路の長さに対応した長さである、血液製剤製造システム。
【発明の詳細な説明】
【技術分野】
【０００１】
本発明は、血液を収容するための第１バッグと、前記第１バッグ内の血液を遠心分離して得られた血液成分を収容するための第２バッグと、添加溶液が収容された第３バッグと、を備えた血液バッグシステム及び血液製剤製造システムに関する。
【背景技術】
【０００２】
この種の血液バッグシステムにおいて、第１バッグに接続された第１チューブは、第２バッグに接続された第２チューブと第３バッグに接続された第３チューブとに分岐部を介して連結される（例えば、特許文献１参照）。血液バッグシステムを遠心分離移送装置に装着した装着状態で、第１バッグ、第２バッグ及び第３バッグは、遠心分離移送装置の第１収容部、第２収容部及び第３収容部に各々配設される。
【先行技術文献】
【特許文献】
【０００３】
【特許文献１】特開２０１６−１０６０１２号公報
【発明の概要】
【発明が解決しようとする課題】
【０００４】
ところで、第３チューブの全長が第２チューブの全長と同じである場合、血液バッグシステムを遠心分離移送装置に装着する際に、ユーザは、第２バッグと第３バッグとを取り違え易い。つまり、ユーザは、第２バッグを第３収容部に配設するとともに第３バッグを第２収容部に配設してしまう可能性がある。
【０００５】
また、第３チューブの全長が第２チューブの全長よりも長い場合、遠心分離中に第３チューブが遠心分離移送装置に擦れて損傷することを防止するために、第３チューブの一部を第３収容部内に入れ込む必要がある。この際、第３バッグには添加溶液が収容されているため、ユーザは、第３チューブの余分な部分を第３収容部内の狭い隙間に入れなければならない。そのため、血液バッグシステムの遠心分離移送装置への装着作業を効率的に行うことができない。
【０００６】
さらに、第３チューブの全長が第２チューブの全長よりも長い場合、遠心分離移送装置から血液バッグシステムを取り外す際に、第３バッグを比較的高い位置（例えば、ユーザの肩の位置）まで持ち上げる必要があり、ユーザの腕及び肩に負担が掛かり易い。
【０００７】
本発明は、このような課題を考慮してなされたものであり、血液バッグシステムの遠心分離移送装置への装着時に、第２バッグ及び第３バッグの取り違えを抑制するとともに装着作業を効率的に行うことができ、遠心分離中に第３チューブが損傷することを防止することができ、取外し作業時のユーザの負担を軽減することができる血液バッグシステム及び血液製剤製造システムを提供することを目的とする。
【課題を解決するための手段】
【０００８】
本発明の一態様は、血液が収容された第１バッグと、前記第１バッグ内の血液を遠心分離して得られた血液成分を収容するための第２バッグと、添加溶液が収容された第３バッグと、を備え、前記第１バッグに接続された第１チューブは、前記第２バッグに接続された第２チューブと前記第３バッグに接続された第３チューブとに分岐部を介して連結され、遠心分離移送装置に装着された装着状態で、前記第１バッグ、前記第２バッグ及び前記第３バッグが、前記遠心分離移送装置の第１収容部、第２収容部及び第３収容部に各々配設される血液バッグシステムであって、前記第３チューブの全長は、前記第２チューブの全長よりも短い、血液バッグシステムである。
【０００９】
本発明の他の態様は、血液バッグシステムと、前記血液バッグシステムが装着される遠心分離移送装置と、を備え、前記血液バッグシステムは、血液が収容された第１バッグと、前記第１バッグ内の血液を遠心分離して得られた血液成分を収容するための第２バッグと、添加溶液が収容された第３バッグと、を有し、前記第１バッグに接続された第１チューブは、前記第２バッグに接続された第２チューブと前記第３バッグに接続された第３チューブとに分岐部を介して連結され、前記血液バッグシステムが前記遠心分離移送装置に装着された装着状態で、前記第１バッグ、前記第２バッグ及び前記第３バッグが、前記遠心分離移送装置の第１収容部、第２収容部及び第３収容部に各々配設される血液製剤製造システムであって、前記第３チューブの全長は、前記第２チューブの全長よりも短い、血液製剤製造システムである。
【発明の効果】
【００１０】
本発明によれば、第３チューブの全長が第２チューブの全長よりも短い。そのため、第２チューブと第３チューブとの長さの違いによって、第２バッグと第３バッグとを容易に識別することができる。これにより、血液バッグシステムの遠心分離移送装置への装着時に第２バッグ及び第３バッグの取り違えを抑制することができる。また、装着時に第３チューブが必要以上に長くなることを抑えることができるため、第３チューブの一部を第３収容部内に入れ込む作業を無くす又は低減することができる。よって、装着作業を効率的に行うことができる。さらに、遠心分離中に第３チューブが第３収容部から過剰に突出することを抑えることができるため、第３チューブが遠心分離移送装置に擦れて損傷することを防止することができる。さらにまた、取外し作業時に第３バッグを持ち上げる高さを低くする（例えば、ユーザの肩よりも下方の位置にする）ことができるため、取外し作業時のユーザの負担を軽減することができる。
【図面の簡単な説明】
【００１１】
【図１】本発明の一実施形態に係る血液製剤製造システムの全体構成を示す説明図である。
【図２】遠心分離移送装置の単位セットエリアを示す平面図である。
【図３】第２チューブの全長と第３チューブの全長との比較説明図である。
【図４】血液バッグシステムの遠心分離移送装置への装着作業の第１説明図である。
【図５】血液バッグシステムの遠心分離移送装置への装着作業の第２説明図である。
【図６】血液バッグシステムの遠心分離移送装置への装着作業の第３説明図である。
【図７】血液バッグシステムの遠心分離移送装置への装着作業の第４説明図である。
【図８】血液バッグシステムの遠心分離移送装置に対する取外し作業の第１説明図である。
【図９】血液バッグシステムの遠心分離移送装置に対する取外し作業の第２説明図である。
【発明を実施するための形態】
【００１２】
以下、本発明について好適な実施形態を挙げ、添付の図面を参照して詳細に説明する。
【００１３】
本発明の一実施形態に係る血液バッグシステム１０は、医療従事者等のユーザにより、図１に示すように遠心分離移送装置１２にセットされる。遠心分離移送装置１２は、血液バッグシステム１０の血液を遠心分離し、複数種類の血液成分を生成して保存する。以下では、血液バッグシステム１０と遠心分離移送装置１２とを含む構成を血液製剤製造システム１４という。
【００１４】
血液バッグシステム１０は、遠心分離前の採血に使用される図示しない前処理部と、遠心分離により血液成分を生成して個別に保存する分離処理部１６とを有し、両部を中継チューブ１８で接続している。分離処理部１６は、遠心分離前に、前処理部に繋がる中継チューブ１８が切断されて図１中に示される状態となり、遠心分離移送装置１２にセットされる。
【００１５】
血液バッグシステム１０の前処理部は、ドナー（供血者）から全血を採取し、また全血から所定の血液成分（例えば、白血球）を除去する。このため前処理部は、採血針、採血バッグ、初流血バッグ、フィルタ（例えば、白血球除去フィルタ）等を有し、複数のチューブにより各部材を接続することで構成される。また分離処理部１６は、中継チューブ１８を介してフィルタの下流側に接続されている。具体的には、前処理部は、採血針を通して採取したドナーの全血のうち最初の血液を初流血バッグに貯留し、その後に残りの血液を採血バッグに貯留する。さらに前処理部は、採血バッグに貯留された全血をフィルタに流動させることで、フィルタにおいて白血球を除去し、この除去血液（白血球除去血液）を分離処理部１６に移送する。
【００１６】
一方、血液バッグシステム１０の分離処理部１６は、複数のバッグ２０（血液バッグ２２、ＰＰＰバッグ２４及び薬液バッグ２６）を有し、複数のチューブ３０により各バッグ２０を接続することで構成される。
【００１７】
血液バッグ２２（第１バッグ）は、血液バッグシステム１０の製品提供状態で、前処理部と繋がる中継チューブ１８に直接接続されている。このため、血液バッグ２２は、採血時においてフィルタから移送されてきた除去血液を貯留する。この血液バッグ２２には、遠心分離移送装置１２の動作により遠心力が付与される。これにより血液バッグ２２の除去血液は、比重の異なる血液成分（乏血小板血漿（platelet poor plasma：ＰＰＰ）、濃厚赤血球（red blood cells：ＲＢＣ））等に遠心分離される。そして、血液バッグ２２は、遠心分離後に遠心分離移送装置１２の動作下に、ＰＰＰが移送されることで、残留したＲＢＣのみを貯留する。
【００１８】
ＰＰＰバッグ２４（第２バッグ）は、血液バッグ２２からＰＰＰが供給されることで、このＰＰＰを保存する。一方、薬液バッグ２６（第３バッグ）は、ＭＡＰ液、ＳＡＧＭ液、ＯＰＴＩＳＯＬ等の赤血球保存液（添加溶液）を予め収容している。
【００１９】
また、分離処理部１６は、遠心分離移送装置１２にセットされる前に、セグメントチューブ２８が形成される。セグメントチューブ２８は、ドナーの血液（除去血液）が内部に存在する密閉チューブ２８ａを複数有する。複数の密閉チューブ２８ａは、血液バッグ２２と前処理部（フィルタ）との間を接続していた中継チューブ１８がフィルタ付近で切断され、さらに所定間隔毎にシールされることで一連に連なるように形成される。このセグメントチューブ２８は、ユーザにより必要に応じて切り取られ、血液のチェック等に用いられる。
【００２０】
分離処理部１６の複数のチューブ３０は、分岐部としての分岐コネクタ３２（Ｙ型コネクタ）を介して複数に分岐している。詳細には、複数のチューブ３０は、血液バッグ２２と分岐コネクタ３２を接続する第１チューブ３４、ＰＰＰバッグ２４と分岐コネクタ３２を接続する第２チューブ３６、及び薬液バッグ２６と分岐コネクタ３２を接続する第３チューブ３８を含む。すなわち、血液バッグ２２に接続された第１チューブ３４は、ＰＰＰバッグ２４に接続された第２チューブ３６と薬液バッグ２６に接続された第３チューブ３８とに分岐コネクタ３２を介して連結されている。
【００２１】
第１チューブ３４は第１流路３４ａを有し、第２チューブ３６は第２流路３６ａを有し、第３チューブ３８は第３流路３８ａを有する。第１チューブ３４、第２チューブ３６及び第３チューブ３８のそれぞれは、可撓性を有する。第１流路３４ａ、第２流路３６ａ及び第３流路３８ａは分岐コネクタ３２内の流路を介して相互に連通している。
【００２２】
第１チューブ３４の血液バッグ２２側の端部には、破断可能な封止部材４０（クリックチップ）が設けられている。同様に、第３チューブ３８の薬液バッグ２６側の端部には、破断可能な封止部材４２が設けられている。封止部材４０、４２は、破断操作が行われるまで第１流路３４ａ、第３流路３８ａを遮断し、血液バッグ２２や薬液バッグ２６内の液体を他のバッグ２０に移送することを防止する。
【００２３】
一方、血液バッグシステム１０の分離処理部１６がセットされる遠心分離移送装置１２は、箱状の基体４４と、基体４４の上面を開閉可能な蓋４６と、基体４４に設けられる遠心ドラム４８とを備える。また、遠心分離移送装置１２の基体４４には、遠心ドラム４８を回転させるモータ（不図示）、遠心分離移送装置１２の動作を制御する制御部５０、及びユーザが確認及び操作を行うための操作表示部５２が設けられている。
【００２４】
遠心ドラム４８は、分離処理部１６をセット可能な単位セットエリア５４を複数（６つ）有する。１つの単位セットエリア５４は、その高さがバッグ２０の長手方向長さよりも長く、また遠心ドラム４８の回転中心に対し６０°の範囲に設定されている。つまり、６つの単位セットエリア５４は、周方向に沿って隙間なく並ぶことで、環状の構造体である遠心ドラム４８を構成する。
【００２５】
図１及び図２に示すように、単位セットエリア５４は、遠心ドラム４８の回転に伴い血液バッグ２２に遠心力を付与する。具体的には、単位セットエリア５４は、血液バッグ２２を収容する血液バッグポケット５６（第１収容部）と、ＰＰＰバッグ２４を収容するＰＰＰバッグポケット５８（第２収容部）と、薬液バッグ２６を収容する薬液バッグポケット６０（第３収容部）とを遠心ドラム４８の径方向外側位置に備える。
【００２６】
血液バッグポケット５６は、単位セットエリア５４の周方向中央部に設けられ、ＰＰＰバッグポケット５８や薬液バッグポケット６０よりも大きな容積を有する。ＰＰＰバッグポケット５８と薬液バッグポケット６０は、血液バッグポケット５６よりも径方向外側において周方向に並んで設けられる。
【００２７】
また、単位セットエリア５４の上面５４ａは、血液バッグシステム１０の複数のチューブ３０を配置し保持するように構成されている。上面５４ａにおいて血液バッグポケット５６よりも径方向内側の中央領域５４ａ１（第１領域）には、第１チューブ３４及びセグメントチューブ２８の一部分が配置される。また中央領域５４ａ１には、血液バッグポケット５６の開口を開閉する蓋体６２が設けられている。さらに蓋体６２に閉塞される第１チューブ３４の配置位置には、封止部材４０を破断する破断部６４の一部、第１チューブ３４を流動する血液の状態を検出するセンサ６６（光学センサ）が設けられている。
【００２８】
上面５４ａの左領域５４ａ２（第２領域）には、中央領域５４ａ１を通った第１チューブ３４の一部分、分岐コネクタ３２、第２チューブ３６及び第３チューブ３８の一部分が配置される。この左領域５４ａ２には、分岐コネクタ３２を保持するホルダ６８、第２チューブ３６の第２流路３６ａを開閉するＰＰＰ用クランプ７０、及び第３チューブ３８の第３流路３８ａを開閉する薬液用クランプ７２が設けられている。
【００２９】
上面５４ａの右領域５４ａ３（第３領域）には、中央領域５４ａ１を通ったセグメントチューブ２８の一部分が配置される。この右領域５４ａ３には、セグメントチューブ２８の複数の密閉チューブ２８ａを収容するセグメントポケット７４が設けられている。
【００３０】
さらに、単位セットエリア５４のＰＰＰバッグポケット５８や薬液バッグポケット６０よりも径方向外側には、上面５４ａよりも上方に突出するチューブ保持部７６が設けられている。チューブ保持部７６は、単位セットエリア５４の外周縁に連なる外壁７８と、外周縁から外壁７８よりも内側に突出する内壁８０とを有し、外壁７８と内壁８０の間に第２チューブ３６を配置させる（図７参照）。内壁８０は、薬液バッグポケット６０の左側からＰＰＰバッグポケット５８の周方向途中位置まで延在し、第２チューブ３６をＰＰＰバッグポケット５８にガイドする。
【００３１】
また、単位セットエリア５４は、遠心分離後の血液バッグ２２を押圧するスライダ８２（押し子）を血液バッグポケット５６の径方向内側に備える。スライダ８２は、制御部５０（図１参照）の制御下に、遠心ドラム４８の径方向に沿って進退する。
【００３２】
単位セットエリア５４において、ＰＰＰ用クランプ７０及び薬液用クランプ７２は、ホルダ６８に対して径方向外側に位置する。ＰＰＰ用クランプ７０及び薬液用クランプ７２は、単位セットエリア５４の周方向に互いに隣り合うように位置している。薬液用クランプ７２は、ＰＰＰ用クランプ７０よりもＰＰＰバッグポケット５８が位置する側に位置する。薬液用クランプ７２は、ホルダ６８と薬液バッグポケット６０との間に位置する。
【００３３】
上記の単位セットエリア５４では、ユーザにより、除去血液を貯留した血液バッグ２２が血液バッグポケット５６に、空のＰＰＰバッグ２４がＰＰＰバッグポケット５８に、赤血球保存液を貯留した薬液バッグ２６が薬液バッグポケット６０にそれぞれ収容される。そして、単位セットエリア５４は、遠心ドラム４８の回転により血液バッグ２２の除去血液を遠心分離し、遠心分離後にスライダ８２を進出して血液バッグ２２を押圧する。これにより、血液バッグ２２内で遠心分離により生じたＰＰＰがＰＰＰバッグ２４に移送され、ＰＰＰの移送後は血液バッグ２２にＲＢＣが残留する。その後、血液バッグシステム１０は、ユーザにより遠心分離移送装置１２から取り出されて、図示しないスタンドに薬液バッグ２６が吊り下げられる。これにより薬液バッグ２６から血液バッグ２２に赤血球保存液が供給され、血液バッグ２２は薬液を含むＲＢＣ（血液製剤）を貯留した状態となる。
【００３４】
図３に示すように、血液バッグシステム１０の第３チューブ３８の全長Ｌ２は、第２チューブ３６の全長Ｌ１よりも短い。第２チューブ３６の全長Ｌ１は、分岐コネクタ３２における第２チューブ３６が接続されている部分の端（外縁）からＰＰＰバッグ２４における第２チューブ３６がシールされている部分の端（外縁）までの長さをいう。第３チューブ３８の全長Ｌ２は、分岐コネクタ３２における第３チューブ３８が接続されている部分の端（外縁）から薬液バッグ２６における第３チューブ３８がシールされている部分の端（外縁）までの長さをいう。具体的には、第２チューブ３６の全長Ｌ１は、第２チューブ３６をホルダ６８からＰＰＰ用クランプ７０及びチューブ保持部７６を介してＰＰＰバッグポケット５８に導く経路（第２経路）の長さに対応した長さに設定される（図２参照）。詳細には、第２チューブ３６の全長Ｌ１は、２４ｃｍ以上２８ｃｍ以下の範囲に設定されるのが好ましく、２４ｃｍ以上２６ｃｍ以下の範囲に設定されるのがより好ましい。
【００３５】
第３チューブ３８の全長Ｌ２は、第３チューブ３８をホルダ６８から薬液用クランプ７２を介して薬液バッグポケット６０に導く経路（第１経路）の長さに対応した長さに設定される（図２参照）。詳細には、第３チューブ３８の全長Ｌ２は、８ｃｍ以上１２ｃｍ以下の範囲に設定されるのが好ましく、９ｃｍ以上１１ｃｍ以下に設定されるのがより好ましく、９．５ｃｍ以上１０．５ｃｍ以下に設定されるのが一層好ましい。
【００３６】
本実施形態に係る血液バッグシステム１０は、基本的には以上のように構成されるものであり、以下その動作について説明する。
【００３７】
上述したように、血液バッグシステム１０は、ユーザ（医療従事者）により採血時に前処理部が使用されることで、ドナーの全血から所定成分（白血球）を除いた除去血液を血液バッグ２２に貯留する。血液バッグ２２には、ドナーに応じた適宜の血液量（例えば、４００ｃｃ）の血液が貯留される。
【００３８】
その後、ユーザは、除去血液を遠心分離するために、血液バッグシステム１０の分離処理部１６を前処理部から切り離して遠心分離移送装置１２にセット（装着）する。具体的には、図４に示すように、ユーザは、単位セットエリア５４の血液バッグポケット５６に血液バッグ２２を挿入し、第１チューブ３４を上面５４ａの中央領域５４ａ１に装着し、分岐コネクタ３２をホルダ６８に装着する。その後、ユーザが蓋体６２を閉じると、破断部６４が封止部材４０を確実に破断して、第１チューブ３４の第１流路３４ａを開放する。
【００３９】
その後、図５に示すように、ユーザは、ＰＰＰバッグ２４をＰＰＰバッグポケット５８に挿入し、第２チューブ３６をチューブ保持部７６とＰＰＰ用クランプ７０に装着する。第２チューブ３６の全長Ｌ１は、第２チューブ３６をホルダ６８からＰＰＰ用クランプ７０及びチューブ保持部７６を介してＰＰＰバッグポケット５８に導く第２経路の長さに対応した長さである。
【００４０】
そのため、第２チューブ３６の一端部（分岐コネクタ３２側の端部）がチューブ保持部７６よりも上方に突出することはない。また、第２チューブ３６の他端部（ＰＰＰバッグ２４側の端部）がチューブ保持部７６よりも上方に突出することはない。従って、遠心ドラム４８の回転時に第２チューブ３６が遠心分離移送装置１２の蓋４６（図１及び図７参照）の内面に擦れることはない。さらに、第２チューブ３６が必要以上に長くなることがないため、第２チューブ３６の一部をＰＰＰバッグポケット５８に入れ込む必要もない。また、第２チューブ３６の一部をＰＰＰバッグポケット５８に入れ込む必要があったとしても、入れ込む量が低減される。
【００４１】
次に、図６に示すように、ユーザは、封止部材４２が上方に位置するように薬液バッグ２６を薬液バッグポケット６０に挿入し、第３チューブ３８を薬液用クランプ７２に装着する。第３チューブ３８の全長Ｌ２は、第２チューブ３６の全長Ｌ１よりも短い。換言すれば、第３チューブ３８の全長Ｌ２は、第３チューブ３８をホルダ６８から薬液用クランプ７２を介して薬液バッグポケット６０に導く第１経路の長さに対応した長さである。
【００４２】
そのため、第３チューブ３８がチューブ保持部７６よりも上方に突出することはない。従って、遠心ドラム４８の回転時に第３チューブ３８が遠心分離移送装置１２の蓋４６の内面に擦れることはない。さらに、第３チューブ３８が必要以上に長くなることがないため、第３チューブ３８の一部を薬液バッグポケット６０に入れ込む必要もない。
【００４３】
また、第３チューブ３８の一部を薬液バッグポケット６０に入れ込む必要があったとしても、入れ込む量が低減される。さらに、第３チューブ３８のチューブ保持部７６よりも上方への突出を抑えるために、封止部材４２が下方（薬液バッグポケット６０の底面側）に位置するように薬液バッグ２６を上下逆にした状態で薬液バッグポケット６０に挿入する必要もない。
【００４４】
血液バッグシステム１０のセット後に、遠心分離移送装置１２は、制御部５０の制御下に遠心ドラム４８を回転させることで、血液バッグ２２の除去血液を、比重が異なる血液成分（ＰＰＰ、ＲＢＣ等）に遠心分離する。この遠心分離後、遠心分離移送装置１２は、スライダ８２により血液バッグ２２を押圧する。これにより、比重が軽いＰＰＰが血液バッグ２２から流出し、このＰＰＰは、第１チューブ３４、分岐コネクタ３２、第２チューブ３６を順に流動してＰＰＰバッグ２４に流入する。
【００４５】
遠心分離移送装置１２は、血液バッグ２２からＰＰＰバッグ２４にＰＰＰを移送すると、スライダ８２を後退させ、血液バッグポケット５６から血液バッグ２２を取り出し可能とする。そして、ユーザは、図示しないクランプによって第２チューブ３６の第２流路３６ａと第３チューブ３８の第３流路３８ａとのそれぞれを閉塞する。
【００４６】
その後、ユーザは、血液バッグシステム１０を遠心分離移送装置１２から取り出す。具体的には、ユーザは、ＰＰＰバッグ２４をＰＰＰバッグポケット５８から取り出すとともに第２チューブ３６をチューブ保持部７６及びＰＰＰ用クランプ７０から取り外す。
【００４７】
そして、図８に示すように、ユーザは、薬液バッグ２６を薬液バッグポケット６０から取り出し、薬液バッグ２６を持ち上げた状態で第３チューブ３８を薬液用クランプ７２から取り外す。なお、図８及び図９に示すユーザの身長は、日本人女性の平均身長（１５４ｃｍ）である。この際、分岐コネクタ３２はホルダ６８に装着されており、薬液バッグ２６はユーザの肩Ｓの上端よりも下方に位置する。
【００４８】
続いて、図９に示すように、ユーザは、蓋体６２を開き、薬液バッグ２６を持ち上げたまま、第１チューブ３４を上面５４ａの中央領域５４ａ１から取り外す。この際、薬液バッグ２６の高さ位置は、図８のときよりも高くなるもののユーザの肩Ｓの上端よりも下方に位置する。そのため、血液バッグシステム１０の遠心分離移送装置１２に対する取外し作業時の腕及び肩Ｓへの負担が軽減される。
【００４９】
その後、薬液バッグ２６を図示しないスタンドに吊り下げることで、赤血球保存液を血液バッグ２２に供給する。これにより血液バッグ２２には、赤血球保存液を含むＲＢＣが貯留される。
【００５０】
この場合、本実施形態に係る血液バッグシステム１０及び血液製剤製造システム１４は、以下の効果を奏する。
【００５１】
血液バッグシステム１０及び血液製剤製造システム１４において、第３チューブ３８の全長Ｌ２は、第２チューブ３６の全長Ｌ１よりも短い。
【００５２】
このような構成によれば、第２チューブ３６と第３チューブ３８との長さの違いによって、ＰＰＰバッグ２４と薬液バッグ２６とを容易に識別することができる。これにより、血液バッグシステム１０の遠心分離移送装置１２への装着時にＰＰＰバッグ２４及び薬液バッグ２６の取り違えを抑制することができる。また、装着時に第３チューブ３８が必要以上に長くなることを抑えることができるため、第３チューブ３８の一部を薬液バッグポケット６０内に入れ込む作業を無くす又は低減することができる。よって、装着作業を効率的に行うことができる。さらに、遠心分離中に第３チューブ３８が薬液バッグポケット６０から過剰に突出する（浮き上がる）ことを抑えることができるため、第３チューブ３８が遠心分離移送装置１２（蓋４６）に擦れて損傷することを防止することができる。さらにまた、取外し作業時に薬液バッグ２６を持ち上げる高さを低くする（例えば、ユーザの肩Ｓよりも下方の位置にする）ことができるため、取外し作業時のユーザの負担を軽減することができる。
【００５３】
第３チューブ３８の全長Ｌ２は、８ｃｍ以上１２ｃｍ以下である。
【００５４】
このような構成によれば、薬液バッグ２６及び第３チューブ３８の遠心分離移送装置１２に対する装着作業を一層効率的に行うことができる。
【００５５】
第２チューブ３６の全長Ｌ１は、２４ｃｍ以上２８ｃｍ以下である。
【００５６】
このような構成によれば、ＰＰＰバッグ２４及び第２チューブ３６の遠心分離移送装置１２に対する装着作業を一層効率的に行うことができる。
【００５７】
遠心分離移送装置１２は、分岐コネクタ３２を装着するためのホルダ６８を有し、第３チューブ３８をホルダ６８から薬液バッグポケット６０に導く第１経路の長さは、第２チューブ３６をホルダ６８からＰＰＰバッグポケット５８に導く第２経路の長さよりも短い。
【００５８】
このような構成によれば、ＰＰＰバッグ２４、薬液バッグ２６、第２チューブ３６及び第３チューブ３８の遠心分離移送装置１２に対する装着作業を一層効率的に行うことができる。
【００５９】
第２チューブ３６の全長Ｌ１は、第２経路の長さに対応した長さであり、第３チューブ３８の全長Ｌ２は、第１経路の長さに対応した長さである。
【００６０】
このような構成によれば、ＰＰＰバッグ２４、薬液バッグ２６、第２チューブ３６及び第３チューブ３８の遠心分離移送装置１２に対する装着作業をより一層効率的に行うことができる。
【００６１】
上述した実施形態では、血液バッグポケット５６、ＰＰＰバッグポケット５８及び薬液バッグポケット６０が互いに独立して設けられた例について説明した。ただし、ＰＰＰバッグポケット５８及び薬液バッグポケット６０は、互いに繋がり１つの収容空間（収容部）を形成し、血液バッグポケット５６は、当該収容空間とは独立した空間を形成してもよい。また、血液バッグポケット５６、ＰＰＰバッグポケット５８及び薬液バッグポケット６０は、互いに繋がり１つの収容空間（収容部）を形成してもよい。
【００６２】
本発明は上述した実施形態に限定されるものではなく、本発明の要旨を逸脱しない範囲において、種々の改変が可能である。
【００６３】
以上の実施形態をまとめると、以下のようになる。
【００６４】
上記実施形態は、血液が収容された第１バッグ（２２）と、前記第１バッグ（２２）内の血液を遠心分離して得られた血液成分を収容するための第２バッグ（２４）と、添加溶液が収容された第３バッグ（２６）と、を備え、前記第１バッグ（２２）に接続された第１チューブ（３４）は、前記第２バッグ（２４）に接続された第２チューブ（３６）と前記第３バッグ（２６）に接続された第３チューブ（３８）とに分岐部（３２）を介して連結され、遠心分離移送装置（１２）に装着された装着状態で、前記第１バッグ（２２）、前記第２バッグ（２４）及び前記第３バッグ（２６）が、前記遠心分離移送装置（１２）の第１収容部（５６）、第２収容部（５８）及び第３収容部（６０）に各々配設される血液バッグシステム（１０）であって、前記第３チューブ（３８）の全長（Ｌ２）は、前記第２チューブ（３６）の全長（Ｌ１）よりも短い、血液バッグシステム（１０）を開示している。
【００６５】
前記第３チューブ（３８）の全長（Ｌ２）は、８ｃｍ以上１２ｃｍ以下であってもよい。
【００６６】
前記第２チューブ（３６）の全長（Ｌ１）は、２４ｃｍ以上２８ｃｍ以下であってもよい。
【００６７】
また、上記実施形態は、血液バッグシステム（１０）と、前記血液バッグシステム（１０）が装着される遠心分離移送装置（１２）と、を備え、前記血液バッグシステム（１０）は、血液が収容された第１バッグ（２２）と、前記第１バッグ（２２）内の血液を遠心分離して得られた血液成分を収容するための第２バッグ（２４）と、添加溶液が収容された第３バッグ（２６）と、を有し、前記第１バッグ（２２）に接続された第１チューブ（３４）は、前記第２バッグ（２４）に接続された第２チューブ（３６）と前記第３バッグ（２６）に接続された第３チューブ（３８）とに分岐部（３２）を介して連結され、前記血液バッグシステム（１０）が前記遠心分離移送装置（１２）に装着された装着状態で、前記第１バッグ（２２）、前記第２バッグ（２４）及び前記第３バッグ（２６）が、前記遠心分離移送装置（１２）の第１収容部（５６）、第２収容部（５８）及び第３収容部（６０）に各々配設される血液製剤製造システム（１４）であって、前記第３チューブ（３８）の全長（Ｌ２）は、前記第２チューブ（３６）の全長（Ｌ１）よりも短い、血液製剤製造システム（１４）を開示している。
【００６８】
前記遠心分離移送装置（１２）は、前記分岐部（３２）を装着するためのホルダ（６８）を有し、前記第３チューブ（３８）を前記ホルダ（６８）から前記第３収容部（６０）に導く第１経路の長さは、前記第２チューブ（３６）を前記ホルダ（６８）から前記第２収容部（５８）に導く第２経路の長さよりも短くてもよい。
【００６９】
前記第２チューブ（３６）の全長（Ｌ１）は、前記第２経路の長さに対応した長さであり、前記第３チューブ（３８）の全長（Ｌ２）は、前記第１経路の長さに対応した長さであってもよい。
【符号の説明】
【００７０】
１０…血液バッグシステム                １２…遠心分離移送装置
１４…血液製剤製造システム              ２２…血液バッグ（第１バッグ）
２４…ＰＰＰバッグ（第２バッグ）        ２６…薬液バッグ（第３バッグ）
３２…分岐コネクタ（分岐部）            ３４…第１チューブ
３６…第２チューブ                      ３８…第３チューブ
【図１】
2020130927.tif 000003
【図２】
2020130927.tif 000004
【図３】
2020130927.tif 000005
【図４】
2020130927.tif 000006
【図５】
2020130927.tif 000007
【図６】
2020130927.tif 000008
【図７】
2020130927.tif 000009
【図８】
2020130927.tif 000010
【図９】
2020130927.tif 000011